(57)【要約】【課題】ＩＣカードに記憶される電子バリューのセキュリティを維持しつつ、ディスプレイに表示させる表示用データを取得できるようにする。【解決手段】通信機器２００と通信を行うためのアンテナ１０３と、電子バリューを記憶するための電子バリュー記憶部１０４ｂ（１）及びその電子バリューに対応する表示用データを記憶するための表示用データ記憶部１０４ｂ（２）を含むメモリ１０４ｂ、アンテナ１０３を介して通信機器２００と少なくとも電子バリューに関する情報のやり取りを行うＣＰＵ１０４ａを１チップ化したＩＣチップ１０４と、表示用データ記憶部１０４ｂ（２）の表示用データをディスプレイ１０２に表示させる表示制御ＩＣチップ１０６とを備え、表示制御ＩＣチップ１０６は、表示用データ記憶部１０４ｂ（２）にアクセス可能であるが、電子バリュー記憶部１０４ｂ（１）にはアクセス不能となっている。【選択図】図２
2008217106.tif 000002
【特許請求の範囲】
【請求項１】
表示手段を備えたＩＣカードであって、
通信機器と通信を行うための通信手段と、
電子バリューを記憶するための電子バリュー記憶手段、前記電子バリュー記憶手段の電子バリューに対応する表示用データを記憶するための表示用データ記憶手段、前記通信手段を介して前記通信機器と少なくとも前記電子バリューに関する情報のやり取りを行う制御手段として機能するＩＣチップと、
前記表示用データ記憶手段の表示用データを前記表示手段に表示させる表示制御ＩＣチップとを備え、
前記表示制御ＩＣチップは、前記表示用データ記憶手段にアクセス可能であるが、前記電子バリュー記憶手段にはアクセス不能であることを特徴とするＩＣカード。
【請求項２】
前記表示制御ＩＣチップ用の電源を備えたことを特徴とする請求項１に記載のＩＣカード。
【請求項３】
前記表示用データは前記通信機器で生成されたものを前記制御手段が受信することを特徴とする請求項１又は２に記載のＩＣカード。
【請求項４】
前記表示用データは前記ＩＣチップ内で生成されることを特徴とする請求項１又は２に記載のＩＣカード。
【発明の詳細な説明】
【技術分野】
【０００１】
本発明は、表示手段を備えたＩＣカードに関する。
【背景技術】
【０００２】
ＩＣカードは、磁気カード等に比べて記憶容量が大きく、機密性や安全性に優れているといった理由から、多種多様な分野において利用されている。
【０００３】
ＩＣカードを利用するに際し、その内部に記憶されている電子的なデータをどのようにして可視化するかが一つの重要な課題となっている。
【０００４】
例えば特許文献１には、ＩＣカード情報を表示する表示部を設けた表示器付非接触ＩＣカードが開示されている。
【０００５】
【特許文献１】特開２００１−５９２７号公報
【発明の開示】
【発明が解決しようとする課題】
【０００６】
特許文献１に開示されている表示器付非接触ＩＣカードでは、表示コントロール部が、ＩＣカード部のメモリ部に格納されているＩＣカード情報を授受し、表示用データに変換する構成となっている。
【０００７】
しかしながら、ＩＣカード部のメモリ部に格納されているＩＣカード情報は電子バリュー等の重要なデータであって、そのセキュリティを厳格に維持する必要がある。セキュリティの観点からいえば、たとえ同一のＩＣカード内であっても、ＩＣカード情報へのアクセスは最低限必要な構成要素やタイミングに限定すべきであり、特許文献１にあるように表示コントロール部がＩＣカード部のメモリ部に自由にアクセスできる構成は好ましくない。
【０００８】
本発明は、上記のような点に鑑みてなされたものであり、ＩＣカードに記憶される電子バリューのセキュリティを維持しつつ、表示手段に表示させる表示用データを取得できるようにすることを目的とする。
【課題を解決するための手段】
【０００９】
本発明によるＩＣカードは、表示手段を備えたＩＣカードであって、通信機器と通信を行うための通信手段と、電子バリューを記憶するための電子バリュー記憶手段、前記電子バリュー記憶手段の電子バリューに対応する表示用データを記憶するための表示用データ記憶手段、前記通信手段を介して前記通信機器と少なくとも前記電子バリューに関する情報のやり取りを行う制御手段として機能するＩＣチップと、前記表示用データ記憶手段の表示用データを前記表示手段に表示させる表示制御ＩＣチップとを備え、前記表示制御ＩＣチップは、前記表示用データ記憶手段にアクセス可能であるが、前記電子バリュー記憶手段にはアクセス不能であることを特徴とする。
【発明の効果】
【００１０】
本発明によれば、ＩＣカードに記憶される電子バリューのセキュリティを維持しつつ、表示手段に表示させる表示用データを取得することができる。
【発明を実施するための最良の形態】
【００１１】
以下、添付図面を参照して、本発明の好適な実施形態について説明する。
図１、２は、第１の実施形態に係る非接触ＩＣカード１００の構成を示す図である。本実施形態では、Ｓｕｉｃａ（登録商標）のように主に交通機関で利用される非接触ＩＣカード１００を説明する。非接触ＩＣカード１００は電子バリュー（例えば定期券情報、乗車券や特急券等のデジタルチケット情報、ストアードフェア（ＳＦ）の残額情報）を書き換え可能に記憶し、図３に示すように、駅務機器（図示例では自動改札機）２００と無線通信を行う。
【００１２】
図１、２に示すように、非接触ＩＣカード１００のカード本体１０１には、表示手段の一例であるディスプレイ１０２が設けられている。ディスプレイ１０２としては、電力供給がなくても表示が残存するディスプレイ、例えばマイクロカプセル型電気泳動式ディスプレイが用いられる。このように電力供給がなくても表示が残存するディスプレイを用いることにより、ユーザはいつでもディスプレイ１０２の表示を視認することができ、また、ディスプレイ１０２の表示更新時にのみ電力が消費されるので電力消費を抑えることができる。図１には、ディスプレイ１０２に、定期券情報、デジタルチケット情報、ＳＦの残額情報の３つが表示されている例を示す。
【００１３】
また、図２に示すように、カード本体１０１には、通信手段の一例であるアンテナ１０３と、ＩＣチップ１０４と、表示制御ＩＣチップ１０６と、表示制御ＩＣチップ１０６用の電源１０７とが内蔵されている。
【００１４】
アンテナ１０３は、ループコイルからなり、非接触ＩＣカード１００を駅務機器２００の読み取り部２０５にかざしたときに（図３を参照）、駅務機器２００との間で電磁誘導方式の無線通信を行う。
【００１５】
ＩＣチップ１０４は、ＣＰＵ１０４ａ、ＲＯＭやＲＡＭ等のメモリ１０４ｂを含んで構成され、非接触ＩＣカード１００を駅務機器２００の読み取り部２０５にかざしたときに電磁誘導方式で得られる電力で駆動する。
【００１６】
メモリ１０４ｂは、更に、電子バリューを書き換え可能に記憶するための電子バリュー記憶部１０４ｂ（１）と、電子バリュー記憶部１０４ｂ（１）の電子バリューに対応する表示用データを記憶するための表示用データ記憶部１０４ｂ（２）とを含む。なお、電子バリュー記憶部１０４ｂ（１）と表示用データ記憶部１０４ｂ（２）とは物理的に異なるメモリであってもよいし、一つのメモリの記憶領域を区画したものであってもよい。
【００１７】
ＣＰＵ１０４ａがメモリ１０４ｂに記憶されているプログラムを実行することにより、アンテナ１０３を介して駅務機器２００と電子バリュー記憶部１０４ｂ（１）の電子バリューに関する情報のやり取りを行う。具体的には、電子バリュー記憶部１０４ｂ（１）の電子バリューの情報を駅務機器２００に送信したり、駅務機器２００からデータ或いはコマンドを受信して電子バリュー記憶部１０４ｂ（１）の電子バリューを書き換えたりする。
【００１８】
また、ＣＰＵ１０４ａがメモリ１０４ｂに記憶されているプログラムを実行することにより、アンテナ１０３を介して駅務機器２００から表示用データを受信し、表示用データ記憶部１０４ｂ（２）の表示用データを書き換える。
【００１９】
表示制御ＩＣチップ１０６は、ＣＰＵ１０６ａ、ＲＯＭやＲＡＭ等のメモリ１０６ｂを含んで構成され、電源１０７から供給される電力で駆動する。例えばＩＣチップ１０４が駆動したときに、すなわち非接触ＩＣカード１００を駅務機器２００の読み取り部２０５にかざしたときに、表示制御ＩＣチップ１０６がＩＣチップ１０４から信号を受けて、電源１０７から供給される電力で駆動するようにすればよい。
【００２０】
ＣＰＵ１０６ａがメモリ１０６ｂに記憶されているプログラムを実行することにより、ＩＣチップ１０４の表示用データ記憶部１０４ｂ（２）にアクセスし、表示用データをディスプレイ１０２に表示させる。
【００２１】
ここで、表示制御ＩＣチップ１０６は、ＩＣチップ１０４の表示用データ記憶部１０４ｂ（２）にアクセス可能であるが、電子バリュー記憶部１０４ｂ（１）にはアクセス不能となっている。
【００２２】
電源１０７としては、例えば一次電池や二次電池を設ければよい。また、アンテナ１０３での電磁誘導方式で得られる電力の一部を蓄えるコンデンサを設けてもよい。
【００２３】
図３に示すように、駅務機器２００には、通信手段の一例であるアンテナ２０１と、リーダ／ライタ２０２と、ＣＰＵやメモリ等により構成される主制御部２０３と、表示用データを生成する表示用データ生成部２０４とが設けられている。この駅務機器２００が本発明でいう通信機器に相当するものである。
【００２４】
アンテナ２０１は、非接触ＩＣカード１００を駅務機器２００の読み取り部２０５にかざしたときに（図３を参照）、非接触ＩＣカード１００との間で電磁誘導方式の無線通信を行う。
【００２５】
リーダ／ライタ２０２及び主制御部２０３は、非接触ＩＣカード１００と電子バリューに関する情報のやり取りを行う。ここでは、一例としてＳＦの残額情報に基づく自動改札機２００での出場処理を説明する。図３に示すように自動改札機２００と非接触ＩＣカード１００とが無線通信を行っている状態で、リーダ／ライタ２０２及び主制御部２０３は、非接触ＩＣカード１００の電子バリュー記憶部１０４ｂ（１）のＳＦの残額情報を読み取り、ＳＦの残額情報が運賃等の利用料金に対して充足しているか否か判定する。その結果、ＳＦの残額情報が充足していると判定すると、不図示のドアを開いて出場を許可するとともに、利用料金を減算した残金情報に書き換えるよう書き換え指令を非接触ＩＣカード１００に送信する。非接触ＩＣカード１００のＩＣチップ１０４は、書き換え指令を受けて、電子バリュー記憶部１０４ｂ（１）のＳＦの残額情報を書き換える。
【００２６】
また、一例としてデジタルチケット情報に基づく自動改札機２００での出場処理を説明する。図３に示すように自動改札機２００と非接触ＩＣカード１００とが無線通信を行っている状態で、リーダ／ライタ２０２及び主制御部２０３は、非接触ＩＣカード１００の電子バリュー記憶部１０４ｂ（１）のデジタルチケット情報を読み取り、デジタルチケット情報の券種の判定、期間や区間の判定等を行う。その結果、デジタルチケット情報が有効であると判定すると、不図示のドアを開いて出場を許可するとともに、該当デジタルチケット情報を削除するよう削除指令を非接触ＩＣカード１００に送信する。非接触ＩＣカード１００のＩＣチップ１０４は、削除指令を受けて、電子バリュー記憶部１０４ｂ（１）の該当デジタルチケット情報を削除するように書き換える。
【００２７】
表示用データ生成部２０４は、非接触ＩＣカード１００のディスプレイ１０２に表示させる表示用データを生成し、非接触ＩＣカード１００に送信する。上述したように駅務機器２００と非接触ＩＣカード１００とが電子バリューに関する情報のやり取りを行った結果、非接触ＩＣカード１００の電子バリュー記憶部１０４ｂ（１）に記憶させることになる電子バリューを正データとすると、その正データに対応させた表示用データを生成し、アンテナ２０１を介して非接触ＩＣカード１００に送信する。表示用データは、例えばビットマップやドットコードからなる。非接触ＩＣカード１００のＩＣチップ１０４は、駅務機器２００から表示用データを受信して、表示用データ記憶部１０４ｂ（２）の表示用データを書き換える。
【００２８】
なお、駅務機器２００として自動改札機を説明したが、自動改札機以外にも、駅員が用いる携帯型端末装置、定期券発売機、のりこし精算機、自動発券機等がある。
【００２９】
以上述べたように、メモリ１０４ｂ（電子バリュー記憶部１０４ｂ（１）、表示用データ記憶部１０４ｂ（２）を含む）及びＣＰＵ１０４ａを１チップ化したので、電子バリュー記憶部１０４ｂ（１）にいったん格納された電子バリューがＩＣチップ１０４外に出力されることがない。また、表示制御ＩＣチップ１０６は、ＩＣチップ１０４の表示用データ記憶部１０４ｂ（２）にアクセス可能であるが、電子バリュー記憶部１０４ｂ（１）にはアクセス不能となっている。これにより、非接触ＩＣカード１００に記憶される電子バリューのセキュリティを維持しつつ、ディスプレイ１０２に表示させる表示用データを取得することができる。
【００３０】
また、表示制御ＩＣチップ１０６用の電源１０７を設けることにより、ＩＣチップ１０４の処理と、表示制御ＩＣチップ１０６の処理とが相互に影響を与えるのを避けるようにしている。上述したようにディスプレイ１０２は電力供給がなくても表示が残存するので、電源１０７の電力は主にディスプレイ１０２の表示更新時に消費される。もちろん、電磁誘導方式で得られる電力が十分であれば、表示制御ＩＣチップ１０６もＩＣチップ１０４と同様に電磁誘導方式で得られる電力で駆動するようにしてもよい。
【００３１】
以上、本発明を種々の実施形態と共に説明したが、本発明はこれらの実施形態にのみ限定されるものではなく、本発明の範囲内で変更等が可能である。例えば、上記実施形態では、駅務機器２００が表示用データを生成する構成としたが、非接触ＩＣカード１００の内においてＩＣチップ１０４が電子バリュー記憶部１０４ｂ（１）の電子バリューに基づいて表示用データを生成し、表示用データ記憶部１０４ｂ（２）に記憶させる構成としてもよい。この場合にも、表示制御ＩＣチップ１０６はＩＣチップ１０４の表示用データ記憶部１０４ｂ（２）にアクセス可能とし、電子バリュー記憶部１０４ｂ（１）にはアクセス不能にする。
【００３２】
また、上記実施形態では、通信を行う際に電力を発生する無線通信として電磁誘導方式を説明したが、他の方式、例えばＵＨＦ帯や２．４５ＧＨｚ帯での電波方式を用いてもよい。
【図面の簡単な説明】
【００３３】
【図１】本実施形態に係る非接触ＩＣカードの構成を示す図である。
【図２】本実施形態に係る非接触ＩＣカードの構成を示す図である。
【図３】非接触ＩＣカードと駅務機器とが無線通信を行っている状態を示す図である。
【符号の説明】
【００３４】
１００          非接触ＩＣカード
１０１          カード本体
１０２          ディスプレイ
１０３          アンテナ
１０４          ＩＣチップ
１０４ａ        ＣＰＵ
１０４ｂ        メモリ
１０４ｂ（１）  電子バリュー記憶部
１０４ｂ（２）  表示用データ記憶部
１０６          表示制御ＩＣチップ
１０６ａ        ＣＰＵ
１０６ｂ        メモリ
１０７          電源
２００          駅務機器
２０１          アンテナ
２０２          リーダ／ライタ
２０３          主制御部
２０４          表示用データ生成部
２０５          読み取り部
【図１】
2008217106.tif 000003
【図２】
2008217106.tif 000004
【図３】
2008217106.tif 000005